(57)【要約】【課題】ハンドルアームの軽量化を図りつつ、巻き取り回転方向における強度だけでなく、リール本体側に作用する押圧力に対する強度も十分に確保できる魚釣用リールの提供を目的としている。【解決手段】本発明の一実施形態に係る魚釣用リール１において、ハンドル７は、その基端部５０が巻き取り駆動機構の駆動軸部に対して連結支持され且つその先端部５２にツマミ６０が設けられたハンドルアーム７ａを有し、ハンドルアーム７ａには、前記駆動軸部のほぼ軸方向で開口する貫通長孔７０が、基端部５０側から先端部５２側へと向かうハンドルアームの長手方向に沿って形成され、貫通長孔７０の開口面７０ａに沿うハンドルアーム７ａの幅寸法ＷＡは、先端部５２から基端部５０に向かって漸次的に大きくなるように設定されている（Ｗ１＜Ｗ２＜Ｗ３）。【選択図】図４
2009159834.tif 000002
【特許請求の範囲】
【請求項１】
リール本体内の巻き取り駆動機構に連結されて巻き取り駆動操作されるハンドルを備えた魚釣用リールであって、
前記ハンドルは、その基端部が前記巻き取り駆動機構の駆動軸部に対して連結支持され且つその先端部にツマミが設けられたハンドルアームを有し、
前記ハンドルアームには、前記駆動軸部のほぼ軸方向で開口する貫通長孔が、前記基端部側から前記先端部側へと向かうハンドルアームの長手方向に沿って形成され、
前記貫通長孔の開口面に沿う前記ハンドルアームの幅寸法は、前記先端部から前記基端部に向かって漸次的に大きくなるように設定されていることを特徴とする魚釣用リール。
【請求項２】
前記貫通長孔は、ハンドルアームの外形に沿う開口形状を成して、前記先端部から前記基端部に向かって漸次的に幅広になっていることを特徴とする請求項１に記載の魚釣用リール。
【請求項３】
前記ハンドルアームは、前記貫通長孔を挟んでハンドルアームの幅方向で対向する一対の側端壁を有し、これらの側端壁は、板状の支柱形態を成すとともに、前記貫通長孔の開口面に沿うその寸法よりも前記開口面と略直交する前記駆動軸部の軸方向に沿うその寸法の方が大きく設定されていることを特徴とする請求項１または請求項２に記載の魚釣用リール。
【請求項４】
前記ハンドルは、前記巻き取り駆動機構の前記駆動軸部に着脱自在に結合され且つ前記ハンドルアームを回動可能に支持する連結軸部と、この連結軸部の外周に設けられ且つ前記ハンドルアームを起立位置と倒伏位置との間で回動できるように前記連結軸部に対してその軸方向にスライド可能な円筒状のハンドルスタンドとを更に有し、前記ハンドルスタンドは、リールを把持する手の指を掛けることができる円筒状の指掛け部と、指掛け部の両側に位置され且つ指掛け部よりも大径のフランジ部とから成ることを特徴とする請求項１ないし請求項３のいずれか１項に記載の魚釣用リール。
【発明の詳細な説明】
【技術分野】
【０００１】
本発明は、リール本体内の巻き取り駆動機構に連結されて巻き取り駆動操作されるハンドルを備えた魚釣用リールに関する。
【背景技術】
【０００２】
一般に、魚釣用リールのハンドルアームは、その一端部（基部）がリール本体内の巻き取り駆動機構の駆動軸部に対して起倒可能に連結支持されるとともに、他端部（先端部）に回転可能なツマミを有しており、ハンドルアームと前記駆動軸部との間にロック部材（ハンドルスタンド）を介在させてネジの締め付け力を強弱調節することにより、起立状態と折り畳み状態とに切り換えることができるようになっている。
【０００３】
ところで、近年、リール製品の軽量化の要求が高まるにつれて、また、ハンドル側の重量偏倚抑制の目的からも、ハンドル自体の軽量化が図られるようになってきている。これに関連して、例えば特許文献１には、ハンドルアームの長手方向の中程に貫通長孔を形成することによりハンドルの軽量化を図るようにした魚釣用リールが開示されている。
【特許文献１】特開２００４−２３６５７１号公報
【発明の開示】
【発明が解決しようとする課題】
【０００４】
ハンドルアームは、巻き取り回転操作されるものであることから、それが連結される駆動軸部に対して回転方向の強度が必要なことは勿論のこと、実釣時の巻き取り操作においては、強負荷巻き取りや魚釣用リールの姿勢及び巻き取り位置の変化等に起因して、ツマミを握持保持しながらハンドルアームをリール本体側に押圧しながら巻き取り操作する場合があることから、リール本体側方向、すなわち、駆動軸部の軸方向においても十分な強度が要求される。
【０００５】
しかしながら、特許文献１に開示されているハンドルアームは、駆動軸部に連結されるその基部からツマミが支持される先端部にかけての形態が全長にわたって幅（巻き取り回転方向の幅）がほぼ等しい板状を成しており、その等幅板状体の長手方向に前述したように軽量化のための貫通長孔が形成されていることから、回転方向においては強度的に満足できるものの、リール本体側（駆動軸部の軸方向）に作用する押圧力に対しては強度的に弱く、したがって、操作の仕方によってはハンドルアームが変形してしまうことも考えられる。
【０００６】
本発明は、前記事情に着目してなされたものであり、その目的とするところは、ハンドルアームの軽量化を図りつつ、巻き取り回転方向における強度だけでなく、リール本体側に作用する押圧力に対する強度も十分に確保できる魚釣用リールを提供することである。
【課題を解決するための手段】
【０００７】
前記課題を解決するために、本発明は、リール本体内の巻き取り駆動機構に連結されて巻き取り駆動操作されるハンドルを備えた魚釣用リールにおいて、前記ハンドルは、その基端部が前記巻き取り駆動機構の駆動軸部に対して連結支持され且つその先端部にツマミが設けられたハンドルアームを有し、前記ハンドルアームには、前記駆動軸部のほぼ軸方向で開口する貫通長孔が、前記基端部側から前記先端部側へと向かうハンドルアームの長手方向に沿って形成され、前記貫通長孔の開口面に沿う前記ハンドルアームの幅寸法は、前記先端部から前記基端部に向かって漸次的に大きくなるように設定されていることを特徴とする。
【発明の効果】
【０００８】
本発明によれば、駆動軸部のほぼ軸方向で開口する貫通長孔が基端部側から先端部側へと向かうハンドルアームの長手方向に沿って形成されているため、ハンドルアームの軽量化を図ることができるとともに、貫通長孔の開口面に沿うハンドルアームの幅寸法が先端部から基端部に向かって漸次的に大きくなるように設定されているため、巻き取り回転方向における強度だけでなく、リール本体側に作用する押圧力に対する強度も十分に確保できる。
【発明を実施するための最良の形態】
【０００９】
以下、図面を参照しながら本発明の実施形態について説明する。
【００１０】
図１に示されるように、本発明の一実施形態に係る魚釣用リールとしてのスピニングリール１は、公知の巻き取り駆動機構９を収容するリール本体２を備えている。リール本体２には、釣竿に装着されるリール脚２ａが一体形成されており、その前方には、回転可能に支持されたロータ３と、ロータ３の回転運動と同期して前後動可能に支持された図示しない公知のスプールとが配設されている。また、リール本体２には、巻き取り駆動機構９の駆動軸部６が軸受６ａを介して回転可能に支持されており、その突出端には、ハンドル７が装着されている。そして、駆動軸部６に取り付けられたフェースギヤ８に前記巻取り駆動機構９が連結されている。したがって、ハンドル７を回転操作（釣り糸巻き取り駆動操作や釣糸繰り出し回転操作）すると、フェースギヤ８および巻取り駆動機構９を介して、ロータ３が回転駆動され、それにより、前記スプールが往復駆動される。
【００１１】
ハンドル７は、ハンドルアーム７ａと、巻き取り駆動機構９の駆動軸部６に着脱自在に結合され且つハンドルアーム７ａを回動可能に支持する連結軸部７ｂと、連結軸部７ｂの外周に設けられ且つ後述するようにハンドルアーム７ａを起立位置と倒伏位置との間で回動できるように連結軸部７ｂに対してその軸方向にスライド可能な円筒状のハンドルスタンド７ｃとを有している。
【００１２】
具体的には、ハンドルアーム７ａは、連結軸部７ｂに支持される（連結軸部７ｂを介して巻き取り駆動機構９の駆動軸部６に対して連結支持される）基端部５０と、手の指によって摘まれるハンドルノブ（ツマミ）６０が設けられた先端部５２とを有している。また、連結軸部７ｂは、駆動軸部６に着脱自在に結合される結合端部２０と、ハンドルアーム７ａを回動可能に支持する支持端部２１とを有しており、結合端部２０を駆動軸部６の有底円筒状の突出端部の内孔３１に挿入して結合端部２０の外周に形成された雄ネジ部２３を駆動軸部６の内孔３１の内周面に形成された雌ネジ部３０に螺合させることにより駆動軸部６に対して着脱自在に取り付けられるようになっている。そして、連結軸部７ｂは、駆動軸部６に取り付けられることにより、この駆動軸部６と一体で回転できるようになる。
【００１３】
また、連結軸部７ｂの支持端部２１は、これに装着された支持ピン２２を介して、ハンドルアーム７ａを起立位置（図１および図２の位置）と折り畳み位置（倒伏位置）（図３の位置）との間で回動させることができるように支持している。この場合、駆動軸部６に対するハンドルアーム７ａの前記折り畳み位置と前記起立位置との間での切換えは、以下のようにして行なわれる。すなわち、連結軸部７ｂの結合端部２０を駆動軸部６の内孔３１の奥端まで完全に螺合させた図１および図２の状態では、ハンドルスタンド７ｃの先端面４０がハンドルアーム７ａの基端部５０の係合面（基部端面）４１に当て付くとともにハンドルスタンド７ｃの基端面４３が駆動軸部６の突出端面４４に当て付き、それにより、ハンドルスタンド７ｃの連結軸部７ｂに対するスライドが阻止されてハンドルアーム７ａが起立位置に保持される（図１および図２参照）。一方、駆動軸部６に対する連結軸部７ｂの螺合状態を緩め、連結軸部７ｂを駆動軸部６から軸方向に抜き出していくと、駆動軸部６の内孔３１から突出する連結軸部７ｂの長さが長くなり、ハンドルスタンド７ｃをスライドさせることができる領域が連結軸部７ｂ上に確保される。そのため、ハンドルスタンド７ｃをリール本体２側へスライドさせてハンドルスタンド７ｃの先端面４０をハンドルアーム７ａの係合面４１から離間させることにより、ハンドルアーム７ａをピン２２を中心に回動させることができるようになり、したがって、ハンドルアーム７ａを折り畳み位置へと倒伏させることができる（図３参照）。
【００１４】
また、ハンドル７を構成する前記ハンドルスタンド７ｃは、連結軸部７ｂに対して回り止め嵌合されており、連結軸部７ｂに対してスライド可能に保持されつつ連結軸部７ｂと一体で回転できるようになっている。特に、本実施形態において、ハンドルスタンド７ｃは、リールを把持する手の指を掛けることができる円筒状の指掛け部６２と、指掛け部６２の両側に位置され且つ指掛け部６２よりも大径のフランジ部６３，６４とから成っている。つまり、ハンドルスタンド７ｃは、小径円筒状の指掛け部６２両側に大径鍔部としてのフランジ部６３，６４を有する鋲形態を成しており、言い換えると、円筒部材において指掛け部６２に対応する部分の肉厚を削ることにより小径円筒部と大径鍔部とを形成して成るものであり、これにより、ハンドル７全体の軽量化を図ることができる。この場合、効率的且つ機能的な軽量化を図るべく、ハンドルスタンド７ｃのフランジ部６３，６４の外径Ｄ（Ｄ１〜Ｄ２）（図２参照）に対する指掛け部６２の外径α（α１〜α２）の比率α／Ｄは、４０％〜９０％、好ましくは４８％〜７５％に設定される。
【００１５】
また、本実施形態のハンドルスタンド７ｃは、指掛け部６２を有しているため、ロータ３の釣糸繰り出し方向の回転を可能にした状態で例えば釣竿の穂先からの釣糸の垂らし長さを調節する際にロータ３の回転にブレーキを掛けるべく指掛け部６２を介した親指の腹部でのサミング操作が可能となる。すなわち、ロータ３の釣糸繰り出し方向の回転を可能にした状態では、ロータ３に結合された駆動軸部６およびこれに連結された連結軸部７ｂ（したがって、ハンドルスタンド７ｃおよびハンドルアーム７ａ）もロータ３と一体で釣糸繰り出し方向に回転できるため、この回転に対してハンドルスタンド７ｃの指掛け部６２からブレーキを掛けることで、いわゆるサミング操作を簡単且つ効率的に行なうことができる。
【００１６】
なお、ハンドルスタンド７ｃの一方側のフランジ部、特に、リール本体２側に位置する幅広のフランジ部６３の外周には、ハンドルスタンド７ｃを回転操作し易いように、すなわち、ハンドルスタンド７ｃの回転操作に伴う駆動軸部６に対する連結軸部７ｂの螺合操作を容易にするべく、摩擦領域（粗面領域）が形成されており、特に本実施形態では、周方向に所定の間隔をもって溝６５が形成されている。
【００１７】
また、図４〜図７に明確に示されるように、ハンドルアーム７ａには、駆動軸部６のほぼ軸方向で開口する貫通長孔７０が、基端部５０側から先端部５２側へと向かうハンドルアーム７ａの長手方向に沿って形成されている。この場合、貫通長孔７０の開口面７０ａに沿うハンドルアーム７ａの幅寸法ＷＡは、先端部５２から基端部５０に向かって漸次的に大きくなるように設定されている（Ｗ１＜Ｗ２＜Ｗ３）。このことは、先端部５２側に位置する図４のＢ−Ｂ線に沿うハンドルアーム７ａの部位（幅寸法Ｗ１）の断面図である図６と、基端部５０側に位置する図４のＡ−Ａ線に沿うハンドルアーム７ａの部位（幅寸法Ｗ２）の断面図である図５とを比較すれば容易に理解できる。また、本実施形態において、貫通長孔７０は、ハンドルアーム７ａの外形に沿う開口形状をほぼ成して、先端部５２から基端部５０に向かって漸次的に幅広になっている。このような寸法設定により、巻き取り回転方向における強度だけでなく、リール本体２側に作用する押圧力に対する強度も十分に確保できる。
【００１８】
また、ハンドルアーム７ａは、貫通長孔７０を挟んでハンドルアーム７ａの幅方向で対向する一対の側端壁７２，７４を有している。これらの側端壁７２，７４は、図７に明確に示されるように、板状の支柱形態を成すとともに、貫通長孔７０の開口面７０ａに沿うその寸法Ｔよりも前記開口面と略直交する駆動軸部６の軸方向に沿うその寸法Ｈの方が大きく設定されている。特に、本実施形態では、前記寸法Ｔ，Ｈの比率Ｔ／Ｈが５％〜５０％、好ましくは１１％〜３６％に設定されている。また、本実施形態においては、ハンドルアーム７ａの長手方向全体で見ても、前記開口面７０ａと略直交する駆動軸部６の軸方向に沿うハンドルアーム７ａの幅寸法ＷＢも、先端側５２に位置する棒状部７５よりも、貫通長孔７０を含む基端部５０側部位の方が大きく幅広に設定されている。このような寸法設定により、リール本体２側に作用する押圧力に対する強度を更に大きく確保できる。
【００１９】
以上説明したように、本実施形態においては、駆動軸部６のほぼ軸方向で開口する貫通長孔７０が基端部５０側から先端部５２側へと向かうハンドルアーム７ａの長手方向に沿って形成されているため、ハンドルアーム７ａの軽量化を図ることができるとともに、貫通長孔７０の開口面７０ａに沿うハンドルアーム７ａの幅寸法ＷＡが先端部５２から基端部５０に向かって漸次的に大きくなるように設定されているため、巻き取り回転方向における強度だけでなく、リール本体２側に作用する押圧力に対する強度も十分に確保できる（リール本体２側へ駆動軸部６の軸方向で押圧力を加えて巻き取り操作を行なう際に、ハンドルアーム７ａの基端部５０側に強い押圧力が掛かっても、強度的に十分に耐えることができる）。また、これに加え、本実施形態において、ハンドルアーム７ａは、貫通長孔７０を挟んでハンドルアーム７ａの幅方向で対向する一対の側端壁７２，７４を有し、これらの側端壁７２，７４は、貫通長孔７０の開口面７０ａに沿うその寸法Ｔよりも前記開口面と略直交する駆動軸部６の軸方向に沿うその寸法Ｈの方が大きく設定されている。そのため、リール本体２側に作用する押圧力に対する強度を更に大きく確保できる。
【００２０】
なお、本発明は、前述した実施形態に限定されず、その要旨を逸脱しない範囲で種々変形して実施できることは言うまでもない。例えば、前述した実施形態では、本発明がスピニングリールに対して適用されているが、本発明は両軸受型リールやクローズドフェースリールなどの他の形態のリールにも適用できる。
【図面の簡単な説明】
【００２１】
【図１】本発明の一実施形態に係る魚釣用リール（スピニングリール）の一部断面を有する背面図である。
【図２】起立位置にあるハンドルの一部断面を有する側面図である。
【図３】倒伏位置にあるハンドルの一部断面を有する側面図である。
【図４】ハンドルの正面図である。
【図５】図４のＡ−Ａ線に沿う断面図である。
【図６】図４のＢ−Ｂ線に沿う断面図である。
【図７】ハンドルの要部斜視図である。
【符号の説明】
【００２２】
１  スピニングリール（魚釣用リール）
６  駆動軸部
７  ハンドル
７ａ  ハンドルアーム
７ｂ  連結軸部
７ｃ  ハンドルスタンド
９  巻き取り駆動機構
５０  基端部
５２  先端部
６０  ハンドルノブ（ツマミ）
６２  指掛け部
６３，６４  フランジ部
７０  貫通長孔
７０ａ  開口面
７２，７４  側端壁
【図１】
2009159834.tif 000003
【図２】
2009159834.tif 000004
【図３】
2009159834.tif 000005
【図４】
2009159834.tif 000006
【図５】
2009159834.tif 000007
【図６】
2009159834.tif 000008
【図７】
2009159834.tif 000009